【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
ワイヤレスネットワークを介してワイヤレスフレームを送信する方法であって、
前記ワイヤレスフレームのプリアンブルのＨＥ−ＳＩＧＢフィールド中に第１のデバイスのための第１の送信制御情報を生成することと、前記第１の送信制御情報は、第１のデータ送信周波数範囲を示し、
前記ＨＥ−ＳＩＧＢフィールド中に第２のデバイスのための第２の送信制御情報を生成することと、前記第２の送信制御情報は、第２のデータ送信周波数範囲を示し、
前記ワイヤレスフレームを送信することと、
を備え、ここにおいて、前記送信することは、
第１の周波数範囲で前記第１の送信制御情報の少なくとも一部分を送信するのと同時に、前記第１の周波数範囲と重複しない第２の周波数範囲で前記第２の送信制御情報の少なくとも一部分を送信することと、
前記第１の送信制御情報に従って、前記第１のデータ送信周波数範囲で前記第１のデバイスに第１のデータを送信することと、前記第１のデータ送信周波数範囲は、前記第１の周波数範囲とは異なり、
前記第２の送信制御情報に従って、前記第２のデータ送信周波数範囲で前記第２のデバイスに第２のデータを送信することと、
を備える、方法。
【請求項２】
直交周波数分割多元接続（ＯＦＤＭＡ）を使用して、マルチユーザ通信を実行するために、前記ワイヤレスフレームを生成することをさらに備える、請求項１に記載の方法。
【請求項３】
前記第１のデバイスと前記第２のデバイスとのための共通送信制御情報を生成することをさらに備え、ここにおいて、前記ワイヤレスフレームを送信することは、
前記第１の周波数範囲と前記第２の周波数範囲の両方で、前記共通送信制御情報を同時に送信することと、
前記共通送信制御情報に従って、前記第１のデータと前記第２のデータとを送信することと、
をさらに備える、請求項１に記載の方法。
【請求項４】
第３のワイヤレスデバイスのための送信パラメータを定義するために、前記第１の送信制御情報を生成することをさらに備える、請求項１に記載の方法。
【請求項５】
前記第１の送信制御情報が前記第１の周波数範囲で送信されることを示す第２のワイヤレスフレームを前記第１のデバイスに送信することをさらに備える、請求項１に記載の方法。
【請求項６】
前記第１の周波数範囲が２０Ｍｈｚ幅であり、前記第２の周波数範囲が２０Ｍｈｚ幅である、請求項１に記載の方法。
【請求項７】
ワイヤレスネットワークからワイヤレスデバイスによってワイヤレスデータを受信する方法であって、
前記ワイヤレスデバイスによって、プリアンブルとデータ部分とを含むワイヤレスフレームを受信することと、前記プリアンブルは、第１の周波数範囲内に第１の送信制御情報、および第２の周波数範囲内に第２の送信制御情報を備え、前記データ部分は、第３の周波数範囲内に第１のデータ、および第４の周波数範囲内に第２のデータを符号化する、
前記ワイヤレスデバイスが前記第１の送信制御情報によって識別されるかどうかを決定するために、前記第１の送信制御情報を復号することと、
前記復号された第１の送信制御情報が前記ワイヤレスデバイスを識別することに応答して、前記第１のデータを復号することと、
を備え、
ここにおいて、前記第１の送信制御情報は前記第１の周波数範囲内で受信され、前記第２の送信制御情報は前記第２の周波数範囲内で受信され、両方はＨＥ−ＳＩＧＢフィールド内に符号化される、方法。
【請求項８】
ワイヤレスネットワークを介してワイヤレスフレームを送信するための装置であって、
電子ハードウェアプロセッサと、
前記電子ハードウェアプロセッサに動作可能に接続された、電子ハードウェアメモリと、
を備え、前記電子ハードウェアメモリは、実行されたとき、前記電子ハードウェアプロセッサに、
前記ワイヤレスフレームのプリアンブルのＨＥ−ＳＩＧＢフィールド中に第１のデバイスのための第１の送信制御情報を生成することと、前記第１の送信制御情報は、第１のデータ送信周波数範囲を示し、
前記ＨＥ−ＳＩＧＢフィールド中に第２のデバイスのための第２の送信制御情報を生成することと、前記第２の送信制御情報は、第２のデータ送信周波数範囲を示し、
前記ワイヤレスフレームを送信することと、
を行わせる命令を記憶し、ここにおいて、前記送信することは、
第１の周波数範囲で前記第１の送信制御情報の少なくとも一部分を送信するのと同時に、前記第１の周波数範囲と重複しない第２の周波数範囲で前記第２の送信制御情報の少なくとも一部分を送信することと、
前記第１の送信制御情報に従って、前記第１のデータ送信周波数範囲で前記第１のデバイスに第１のデータを送信することと、前記第１のデータ送信周波数範囲は、前記第１の周波数範囲とは異なり、
前記第２の送信制御情報に従って、前記第２のデータ送信周波数範囲で前記第２のデバイスに第２のデータを送信することと、
を備える、装置。
【請求項９】
前記電子ハードウェアメモリは、実行されたとき、前記電子ハードウェアプロセッサに、直交周波数分割多元接続（ＯＦＤＭＡ）を使用するマルチユーザ通信を実行するために、前記ワイヤレスフレームを生成させるさらなる命令を記憶する、請求項８に記載の装置。
【請求項１０】
前記電子ハードウェアメモリは、実行されたとき、前記電子ハードウェアプロセッサに、
前記第１のデバイスと前記第２のデバイスとのための共通送信制御情報を生成させるさらなる命令を記憶し、ここにおいて、前記ワイヤレスフレームを送信することは、
前記第１の周波数範囲と前記第２の周波数範囲の両方で、前記共通送信制御情報を同時に送信することと、
前記共通送信制御情報に従って、前記第１のデータと前記第２のデータとを送信することと、
をさらに備える、請求項８に記載の装置。
【請求項１１】
前記電子ハードウェアメモリは、実行されたとき、前記電子ハードウェアプロセッサに、第３のワイヤレスデバイスのための送信パラメータを定義するために、前記第１の送信制御情報を生成させるさらなる命令を記憶する、請求項８に記載の装置。
【請求項１２】
前記電子ハードウェアメモリは、実行されたとき、前記電子ハードウェアプロセッサに、前記第１の送信制御情報が前記第１の周波数範囲で送信されることを示す第２のワイヤレスフレームを前記第１のデバイスに送信させるさらなる命令を記憶する、請求項８に記載の装置。
【請求項１３】
前記第１の周波数範囲が２０Ｍｈｚ幅であり、前記第２の周波数範囲が２０Ｍｈｚ幅である、請求項８に記載の装置。
【請求項１４】
ワイヤレスネットワークからワイヤレスデバイスによってワイヤレスデータを受信するための装置であって、前記装置は、
プリアンブルとデータ部分とを含むワイヤレスフレームを受信するように構成された受信機と、前記プリアンブルは、第１の周波数範囲内に第１の送信制御情報、および第２の周波数範囲内に第２の送信制御情報を備え、前記データ部分は、第３の周波数範囲内に第１のデータ、および第４の周波数範囲内に第２のデータを符号化し、
前記装置が前記第１の送信制御情報によって識別されるかどうかを決定するために、前記第１の送信制御情報を復号することと、
前記復号された第１の送信制御情報が前記装置を識別することに応答して、前記第１のデータを復号することと、
を行うように構成されたプロセッサと、
を備え、
ここにおいて、前記第１の送信制御情報は前記第１の周波数範囲内で受信され、前記第２の送信制御情報は前記第２の周波数範囲内で受信され、両方はＨＥ−ＳＩＧＢフィールド内に符号化される、装置。
【請求項１５】
コンピュータ上で実行されたとき、請求項１ないし７のいずれか一項に記載の方法を実行するための命令を備えるコンピュータプログラム。
【手続補正２】
【補正対象書類名】明細書
【補正対象項目名】０１４５
【補正方法】変更
【補正の内容】
【０１４５】
[00158]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
［Ｃ１］  ワイヤレスネットワークを介してワイヤレスフレームを送信する方法であって、
第１のデバイスのための第１の送信制御情報を生成することと、
第２のデバイスのための第２の送信制御情報を生成することと、
前記ワイヤレスフレームを送信することと、
を備え、ここにおいて、前記送信することは、
第１の周波数範囲で前記第１の送信制御情報の少なくとも一部分を送信するのと同時に、前記第１の周波数範囲と重複しない第２の周波数範囲を介して前記第２の送信制御情報の少なくとも一部分を送信することと、
前記第１の送信制御情報に従って前記第１のデバイスに第１のデータを送信することと、
前記第２の送信制御情報に従って前記第２のデバイスに第２のデータを送信することと、
を備える、方法。
［Ｃ２］  前記第１の周波数範囲とは異なる、前記第１のデバイスのためのデータ送信周波数範囲を示すために前記第１の送信制御情報を生成することと、
前記示されたデータ送信周波数範囲内で前記第１のデバイスに前記第１のデータを送信することと、
をさらに備える、Ｃ１に記載の方法。
［Ｃ３］  直交周波数分割多元接続（ＯＦＤＭＡ）を使用して、マルチユーザ通信を実行するために、前記ワイヤレスフレームを生成することをさらに備える、Ｃ１に記載の方法。
［Ｃ４］  前記第１のデバイスと前記第２のデバイスとのための共通送信制御情報を生成することをさらに備え、ここにおいて、前記ワイヤレスフレームを送信することは、
前記第１の周波数範囲と前記第２の周波数範囲の両方で、前記共通送信制御情報を同時に送信することと、
前記共通送信制御情報に従って、前記第１のデータと前記第２のデータとを送信することと、
をさらに備える、Ｃ１に記載の方法。
［Ｃ５］  第３のワイヤレスデバイスのための送信パラメータを定義するために、前記第１の送信制御情報を生成することをさらに備える、Ｃ１に記載の方法。
［Ｃ６］  前記第１の送信制御情報が前記第１の周波数範囲で送信されることを示す第２のワイヤレスフレームを前記第１のデバイスに送信することをさらに備える、Ｃ１に記載の方法。
［Ｃ７］  前記ワイヤレスフレームのプリアンブルのＨＥ−ＳＩＧＢフィールド中に前記第１の送信制御情報を生成することと、
前記ワイヤレスフレームの前記プリアンブルの前記ＨＥ−ＳＩＧＢフィールド中に前記第２の送信制御情報を生成することと、
をさらに備え、ここにおいて、前記送信することは、前記第１の周波数範囲中に前記第１の送信制御情報、および前記第２の周波数範囲中に前記第２の送信制御情報を含むように前記ＨＥ−ＳＩＧＢフィールドを送信することを備える、
Ｃ１に記載の方法。
［Ｃ８］  前記第１の周波数範囲が２０Ｍｈｚ幅であり、前記第２の周波数範囲が２０Ｍｈｚ幅である、Ｃ７に記載の方法。
［Ｃ９］  ワイヤレスネットワークからワイヤレスデバイスによってワイヤレスデータを受信する方法であって、
前記ワイヤレスデバイスによって、プリアンブルとデータ部分とを含むワイヤレスフレームを受信することと、前記プリアンブルは、第１の周波数範囲内に第１の送信制御情報、および第２の周波数範囲内に第２の送信制御情報を備え、前記データ部分は、第３の周波数範囲内に第１のデータ、および第４の周波数範囲内に第２のデータを符号化する、  前記ワイヤレスデバイスが前記第１の送信制御情報によって識別されるかどうかを決定するために、前記第１の送信制御情報を復号することと、
前記復号された第１の送信制御情報が前記ワイヤレスデバイスを識別することに応答して、前記第１のデータを復号することと、
を備える、方法。
［Ｃ１０］  前記第１の送信制御情報が前記ワイヤレスデバイスを識別しないことに応答して、前記第２の送信制御情報を復号することと、
前記第２の送信制御情報が前記ワイヤレスデバイスを識別することに応答して、前記第２のデータを復号することと、
をさらに備える、Ｃ９に記載の方法。
［Ｃ１１］  前記第１の送信制御情報の前記復号に基づいて、前記データ部分中の前記ワイヤレスデバイスに宛てられたデータを符号化する周波数範囲を決定することと、
前記第３の周波数範囲が、前記ワイヤレスデバイスに宛てられたデータを符号化すると決定することに応答して、前記第１のデータを復号することと、
をさらに備える、Ｃ９に記載の方法。
［Ｃ１２］  前記第１の送信制御情報は前記第１の周波数範囲内で受信され、前記第２の送信制御情報は前記第２の周波数範囲内で受信され、両方はＨＥ−ＳＩＧＢフィールド内に符号化される、Ｃ９に記載の方法。
［Ｃ１３］  前記ワイヤレスデバイスに固有の送信制御情報を識別するために、前記ワイヤレスデバイスの識別子に基づいて前記第２の送信制御情報をパースすることをさらに備える、Ｃ９に記載の方法。
［Ｃ１４］  ４ｘトーンプランを使用して前記第１の送信制御情報を復号することをさらに備える、Ｃ９に記載の方法。
［Ｃ１５］  ワイヤレスネットワークを介してワイヤレスフレームを送信するための装置であって、  電子ハードウェアプロセッサと、
前記電子ハードウェアプロセッサに動作可能に接続された、電子ハードウェアメモリと、
を備え、前記電子ハードウェアメモリは、実行されたとき、前記電子ハードウェアプロセッサに、
第１のデバイスのための第１の送信制御情報を生成することと、
第２のデバイスのための第２の送信制御情報を生成することと、
前記ワイヤレスフレームを送信することと、
を行わせる命令を記憶し、ここにおいて、前記送信することは、
第１の周波数範囲で前記第１の送信制御情報の少なくとも一部分を送信するのと同時に、前記第１の周波数範囲と重複しない第２の周波数範囲で前記第２の送信制御情報の少なくとも一部分を送信することと、
前記第１の送信制御情報に従って前記第１のデバイスに第１のデータを送信することと、
前記第２の送信制御情報に従って前記第２のデバイスに第２のデータを送信することと、
を備える、装置。
［Ｃ１６］  前記電子ハードウェアメモリは、実行されたとき、前記電子ハードウェアプロセッサに、
前記第１の周波数範囲とは異なる、前記第１のデバイスのためのデータ送信周波数範囲を示すために前記第１の送信制御情報を生成することと、
前記示されたデータ送信周波数上で前記第１のデバイスに前記第１のデータを送信することと、
を行わせるさらなる命令を記憶する、Ｃ１５に記載の装置。
［Ｃ１７］  前記電子ハードウェアメモリは、実行されたとき、前記電子ハードウェアプロセッサに、直交周波数分割多元接続（ＯＦＤＭＡ）を使用するマルチユーザ通信を実行するために、前記ワイヤレスフレームを生成させるさらなる命令を記憶する、Ｃ１５に記載の装置。
［Ｃ１８］  前記電子ハードウェアメモリは、実行されたとき、前記電子ハードウェアプロセッサに、
前記第１のデバイスと前記第２のデバイスとのための共通送信制御情報を生成させるさらなる命令を記憶し、ここにおいて、前記ワイヤレスフレームを送信することは、
前記第１の周波数範囲と前記第２の周波数範囲の両方で、前記共通送信制御情報を同時に送信することと、
前記共通送信制御情報に従って、前記第１のデータと前記第２のデータとを送信することと、
をさらに備える、Ｃ１５に記載の装置。
［Ｃ１９］  前記電子ハードウェアメモリは、実行されたとき、前記電子ハードウェアプロセッサに、第３のワイヤレスデバイスのための送信パラメータを定義するために、前記第１の送信制御情報を生成させるさらなる命令を記憶する、Ｃ１５に記載の装置。
［Ｃ２０］  前記電子ハードウェアメモリは、実行されたとき、前記電子ハードウェアプロセッサに、前記第１の送信制御情報が前記第１の周波数範囲で送信されることを示す第２のワイヤレスフレームを前記第１のデバイスに送信させるさらなる命令を記憶する、Ｃ１５に記載の装置。
［Ｃ２１］  前記電子ハードウェアメモリは、実行されたとき、前記電子ハードウェアプロセッサに、
前記ワイヤレスフレームのプリアンブルのＨＥ−ＳＩＧＢフィールド中に前記第１の送信制御情報を生成することと、
前記ワイヤレスフレームの前記プリアンブルの前記ＨＥ−ＳＩＧＢフィールド中に前記第２の送信制御情報を生成することと、
を行わせるさらなる命令を記憶し、ここにおいて、前記送信することは、前記第１の周波数範囲中に前記第１の送信制御情報、および前記第２の周波数範囲中に前記第２の送信制御情報を含むように、前記ＨＥ−ＳＩＧＢフィールドを送信することを備える、Ｃ１５に記載の装置。
［Ｃ２２］  前記第１の周波数範囲が２０Ｍｈｚ幅であり、前記第２の周波数範囲が２０Ｍｈｚ幅である、Ｃ２１に記載の装置。
［Ｃ２３］  ワイヤレスネットワークからワイヤレスデバイスによってワイヤレスデータを受信するための装置であって、前記装置は、
プリアンブルとデータ部分とを含むワイヤレスフレームを受信するように構成された受信機と、前記プリアンブルは、第１の周波数範囲内に第１の送信制御情報、第２の周波数範囲内に第２の送信制御情報を備え、前記データ部分は、第３の周波数範囲内に第１のデータ、および第４の周波数範囲内に第２のデータを符号化し、
前記装置が前記第１の送信制御情報によって識別されるかどうかを決定するために、前記第１の送信制御情報を復号することと、
前記復号された第１の送信制御情報が前記装置を識別することに応答して、前記第１のデータを復号することと、
を行うように構成されたプロセッサと、
を備える、装置。
［Ｃ２４］  前記プロセッサは、
前記第１の送信制御情報が前記ワイヤレスデバイスを識別しないことに応答して、前記第２の送信制御情報を復号することと、
前記第２の送信制御情報が前記ワイヤレスデバイスを識別することに応答して、前記第２のデータを復号することと、
を行うようにさらに構成された、Ｃ２３に記載の装置。
［Ｃ２５］  前記プロセッサは、
前記第１の送信制御情報の前記復号に基づいて、前記データ部分中の前記ワイヤレスデバイスに宛てられたデータを符号化する周波数範囲を決定することと、
前記第３の周波数範囲が、前記ワイヤレスデバイスに宛てられたデータを符号化すると決定することに応答して、前記第１のデータを復号することと、
を行うようにさらに構成された、Ｃ２３に記載の装置。
［Ｃ２６］  前記第１の送信制御情報は前記第１の周波数範囲内で受信され、前記第２の送信制御情報は前記第２の周波数範囲内で受信され、両方がＨＥ−ＳＩＧＢフィールド内に符号化される、Ｃ２３に記載の装置。
［Ｃ２７］  前記プロセッサは、前記ワイヤレスデバイスに固有の送信制御情報を識別するために、前記ワイヤレスデバイスの識別子に基づいて前記第２の送信制御情報をパースするようにさらに構成された、Ｃ２３に記載の装置。
［Ｃ２８］  前記プロセッサは、４ｘトーンプランを使用して前記第１の送信制御情報を復号するようにさらに構成された、Ｃ２３に記載の装置。